(57)【要約】      （修正有）【課題】確保支点にかける補助ロープをメインロープと同時に回収することができる装置を提供する。【解決手段】懸垂下降に用いるロープ１の結び目３を被い、その摩擦抵抗を減らしてロープ１の流れを円滑にする装置２であって、円錐形または流線型の形態を持ち、その頂点にはロープが通過する穴が開けられており、該穴の内径は使用するロープ１の直径と略一致し、且つ内部には、ロープ１の結び目２が収納できる。【選択図】図１
0003205378.tif 000002
【実用新案登録請求の範囲】
【請求項１】
懸垂下降に用いるロープの結び目を被い、その摩擦抵抗を減らしてロープの流れを円滑にする装置であって、
円錐形または流線型の形態を持ち、
その頂点にはロープが通過する穴が開けられており、該穴の内径は使用するロープの直径と略一致し、且つ
内部には、ロープの結び目が収納できる、装置。
【考案の詳細な説明】
【技術分野】
【０００１】
本考案は、ロッククライミングや遭難救助で行われる懸垂下降を完了した後に、確保支点に掛けたスリングとメインロープを同時に回収することを可能にする装置に関するものである。
【背景技術】
【０００２】
懸垂下降はロープを使って高所から下降するロッククライミングおよび救助活動の基本技術である。懸垂下降で転落を防ぐためにメインロープは下降開始地点に確実につなぎ止める必要がある。岩に打ち込まれた金属製のボルトハンガーや自然木および突出した岩などが、メインロープをつなぎ止める支点として選ばれて、確保支点と称される。メインロープをボルトハンガーや、表面が粗な岩や樹木に直接掛けると、引き下ろす際に大きな摩擦抵抗が生じて回収が難しい。大きな摩擦抵抗はメインロープを損傷する危険性もある。そこで確保支点にはスリング（リング状の補助テープ）または補助ロープを掛けて、カラビナを介して間接的にメインロープを掛ける方法が普及している。しかしメインロープを回収した後にスリングとカラビナが確保支点に取り残される（残置される）問題が生じる。残置されたスリングは紫外線や風雪に暴露される間に風化して強度が低下するので、一般にはクライマーは再利用しない。クライマーは新しいスリングを毎回確保支点に加えて懸垂下降をする結果、古いスリングが懸垂下降点にゴミとして蓄積する。ゴミを減らすためにも残置なしでメインロープを回収する意味は大きい。その方法として、引くだけで解除可能な補助ロープの結び方の支点回収術が知られている。ただし、結び方を間違えると、懸垂下降途中で結び目が解けて、致命的な転落事故に至る危険性がある。このような危険性が予想されているために、引くだけで解除可能な補助ロープの結び方の支点回収術は一般の登山者に普及していない。
【先行技術文献】
【非特許文献】
【０００３】
【非特許文献１】社団法人日本アルパインガイド協会のマニュアル（ガイドマニュアル２章、共通技術）http://www.agsj.org/AGSJ_DATA/GuideManual_Tsuika_0.pdf
【考案の概要】
【考案が解決しようとする課題】
【０００４】
懸垂下降の後にスリングなどを確保支点に残して、メインロープだけを回収する方法が一般的である。その結果、登山ルートの確保支点には、多数のスリングが残されてゴミ問題が起こっている。残置されているスリング類は風化して強度が低下する。もし耐荷重が不十分なスリング類を使って懸垂下降をした場合には、確保支点が崩壊して重大な転落事故に至る問題もある。スリング類を残さずにメインロープを回収する手順と装置の考案により、これら２つの問題を解決する。
【課題を解決するための手段】
【０００５】
以下の手順と装置（図１A）によって、残置なしで懸垂下降後にメインロープとスリング類を同時に回収することを可能にする。
【０００６】
ボルトアンカーを確保支点とする場合：メインロープを直接金属ボルトに掛けると、通過する摩擦抵抗が大きいためにメインロープの回収が困難になる。大きな摩擦抵抗によってメインロープを傷つける問題も発生する。そこで最初に金属ボルトにはスリング(図２A１)を掛ける。次にスリングにメインロープを掛ける。スリングの縫い目(図２A２)は引き下ろす側にしてボルトアンカーで通過障害が発生しないように配慮する。２本のメンロープ(図２A４,A５)を下降器にセットして懸垂下降する。図２では１本のメインロープを２つ折りにして懸垂下降に使用している。２本のメインロープを繋いで長い距離を懸垂下降することも可能で、その場合には２本のメインロープの繋ぎ目は（図２A４）のロープ側にセットする。回収前にメインロープの末端には結び目（図２A６）を作る。メインロープを吊り下げているスリングにロープの結び目（図２B７）が食い込んで通過できない。本考案である円錐形装置（コーン; 図２C８）で結び目を覆うと、通過障害が解消されてスリングの一端はメインロープから解放されて、確保支点から容易に抜ける。もう一方のスリングの端には捕捉用リング（図２D９）が作っておくことで、そこでメインロープの結び目が捕捉されて、メインロープとスリングが一体化してボルトアンカーから抜け落ちる。
【０００７】
自然木を確保支点とする場合：直接メインロープを自然木に掛けると樹皮や枝との間に摩擦抵抗が生じるのでメインロープの回収が困難になる。大きな摩擦抵抗によってメインロープを傷つける問題も発生する。そこで図に示すように確保支点にスリング(図３A１)を掛ける。そのスリングにメインロープを掛ける。スリングの縫い目(図３A２)は引き下ろす側にしてボルトアンカーで詰まらないように配慮する。２本のメンロープ(図３A４, 図３A５)を下降器にセットして懸垂下降する。図３では１本のメインロープを２つ折りにして懸垂下降に使用例を示している。２本のメインロープを繋いで長い距離を懸垂下降する場合には、その２本のメインロープの繋ぎ目は図３A4の側にセットする。メインロープの末端には結び目（図３A６）を作る。メインロープを吊り下げているスリングにロープの結び目（図３B７）が食い込んで通過できない。本考案である円錐形装置（コーン; 図３C８）で結び目を覆うと、通過障害が解消されてスリングは確保支点から容易に抜ける。もう一方のスリングの端には捕捉用リング（図３D９）が作っておくことで、そこでメインロープの結び目は捕捉されて、メインロープとスリングが一体化してボルトアンカーから抜け落ちる。
【考案の効果】
【０００８】
以上の手順と装置を活用すれば、スリングを残置することなくメインロープを簡単に回収できる。確保支点に、それぞれの登山者自身でスリングを掛けて、使用後に回収する技術が普及すれば、他人が設置した老朽化したスリングや補助ロープを使用して墜落する事故は無くなる。登山者が「捨て縄」と称して、スリングまたは補助ロープを懸垂下降支点に放置して蓄積しているゴミ問題も解決できる。
【図面の簡単な説明】
【０００９】
【図１】図１A  円錐形装置（MIURAコーン）の投影図。装置には懸垂下降に使用するメインロープ（半径r）が通る穴（内径φ＝2r、8.0 - 11.0 mm）が空けられている。装置の長さLは半径rの8倍程度、円錐形の底面側の直径は半径rの6倍程度で、結び目がその内部に収納できる大きさを持つ。図B１  円錐形装置（MIURAコーン）。図１B２  懸垂下降に使うメインロープ。図１B３  結び目。
【図２】図２  ボルトアンカーを確保支点とする場合：  A１  スリング（リング状の補助テープまたは補助ロープ）、  A２  スリングの縫い目、  A３  メインロープの結び目を捕捉する小ループ、  A４  メインロープ（回収時に引き下ろす側）、  A５  メインロープ（回収時の初めに引き上げられる側）、  A６  メインロープの末端の結び目、  B７  メインロープの結び目（通過障害を起こす）、  C８  円錐形装置（MIURAコーン）、  D９  メインロープの結び目を捕捉する小ループ。
【図３】図３  自然木を確保支点とする場合：  A１  スリング（リング状の補助テープまたは補助ロープ）、  A２  スリングの縫い目、  A３  メインロープの結び目を捕捉する小ループ、  A４  メインロープ（回収時に引き下ろす側）、  A５  メインロープ（回収時の初めに引き上げられる側）、  A６  メインロープの末端の結び目、  B７  メインロープの結び目（通過障害を起こす）、  C８  円錐形装置（MIURAコーン）、  D９  メインロープの結び目を捕捉する小ループ。
【図４】A. 実施例（失敗例）：  A１  ボルトアンカー、  A２  メインロープを吊り下げているスリング、  A３  メインロープを吊り下げているスリングのところで通過障害を起こしている。  B. 実施例（成功例）：  B４  円錐形装置、B５  結び目のあるメインロープを吊り下げているスリング、B６  メンロープの結び目を捕捉する小ループ。  C. 実施例（成功結果）：  C７  懸垂下降に使用した50mのメインロープ、C８  確保支点に掛けてあったスリングと円錐形装置、C９  懸垂下降に使用した50mのメインロープ。
【考案を実施するための形態】
【００１０】
本考案の装置は、中心にメインロープを通すために、その直径（8.0 -11.0 mm）が通過する大きさの穴が設けられた円錐形または流線型の装置である（図１A）。装置の内部にはメインロープで作られた結び目(オーバーハンドノットまたは８の字結び)を収納できる（図１B）。装置はスリングとメインロープを回収する際に30-50 mの距離を落下する。素材は表面が円滑に加工できるポリエチレン、ポリプロピレン、塩化ビニル、ポリカーボネイト等の軽く強靭なプラスチックが適している。ジュラルミンなどの軽金属を用いることも可能である。使用時に円錐形になる装置であれば機能する。組み立て前は扇型の平面で、使用時にメインロープに巻きつけて円錐形に組み立てる形態の装置も本考案に含まれる。
【実施例】
【００１１】
本考案である円錐形装置（MIURAコーン）を、厚紙にビニールテープを巻いて補強して試作品（図４B４）を作製した。高さ35mで傾斜角度80度のロッククライミングのゲレンデの終了点に設置されているアンカーボルト（図４A１）に120 cmのスリングを掛けて、そのスリングに２本のメインロープを掛けて懸垂下降した。回収時に、本考案である円錐形装置を使わない状態でインロープを引いても、メインロープに作った結び目（図４A２）がスリングの輪に引っ掛って回収できない。しかし、本考案である円錐形装置（図４B４）を装着して同じ条件で引いたところ、結び目は最初のスリングを容易にすり抜けて、捕捉リング(図４B６)で捕捉された。その結果スリングとメンリープは一体となって回収できた(図４C７、図４C８、図４C９)。以上の手順で本考案の装置を活用することで、スリングを残置することなくメインロープを回収できることが実証された。
【００１２】
この考案は、上記考案の実施の形態および実施例の説明に何ら限定されるものではない。実用新案登録請求の範囲の記載を逸脱せず、当業者が容易に想像できる範囲で種々の変形態様もこの考案に含まれる。
【産業上の利用可能性】
【００１３】
2020年の東京オリンピックの競技種目としてクライミングが候補に上がっていることからクライミングの愛好者は増加傾向にあり、クライミングジムは2015年には全国で240軒を超え、ボルダリングと呼ばれるインドアクライミング愛好者の人口は30万人を超えていと言われている。とくに10代、20代のクライマーが急増して、今後ますますクライミングは盛んになることが予想できる。これに伴いアウトドアのロッククライミングやアイスクライミングをする人口も増加することが予想されている。本考案は主にロッククライミング、アイスクライミング、山岳遭難救助活活動の基本的な技術である懸垂下降に用いられるロープの回収用装備として利用される可能性がある。
【図１】
0003205378.tif 000003
【図２】
0003205378.tif 000004
【図３】
0003205378.tif 000005
【図４】
0003205378.tif 000006